(57)【要約】      （修正有）【課題】機体の外部と内部のスペースの横方向の断面を長方形状に設計し、機体を有効に使用できるスペースを大きくして機体の染色槽が収容できる布の量を増やし、機体内部の関連する部品設計と配置を便利且つ適切にすることで、布染色機の性能と構造を最適化し、作業員の機体内部における修理・メンテナンスの作業をより行いやすくすることのできる飽和式超低浴比コンベア式低温布染色機を提供する。【解決手段】機体１上方の染色管１２の両端には第１ノズル５と第２ノズル１３がそれぞれ設けられることで、シングルノズルのみの使用またはシングルノズルとタブルノズルを同時に使用することを選択でき、染色管の後端の機体内には、左右の振れ角度と振れ幅を調整できる布配置装置８及び布ガイド装置９が設けられ、より適切に布を動かしコンベヤベルト装置２まで布を導引することで、布がよりスムーズに動かされる。【選択図】図１
0003232749.tif 000002
【実用新案登録請求の範囲】
【請求項１】
コンベヤベルトによって駆動される飽和式超低浴比コンベア式低温布染色機は、染色機の機体内部のスペースにコンベヤベルト装置が設けられることで、布が輸送されて循環され、前記機体内部のスペースにおける横方向の断面は、長方形または長方形に類似した形状に形成されることで、前記機体内部の構造の設計がより最適化され、それにより、染色機の性能が向上するとともに染色される布の量が増え、前記コンベヤベルト装置は、前記機体の長さと幅に沿って平行に設置されるとともに、その前端または後端、或いは、両端の長手には傾斜角度を調整または固定する傾斜角調整段が設けられ、前記機体の底部における貯水槽の内側には、組み込み式熱交換器とストレーナーが設けられ、前記機体の上方には、前記機体の前端と後端の両端に連結された染色管が設けられ、前記染色管の前端には第１ノズルが設けられ、前記染色管の後端には第２ノズルが設けられ、前記染色管の後端の機体内における下方には、布配置装置が設けられ、前記布配置装置に対応する位置の下方には、布ガイド装置が設けられることを特徴とする、飽和式超低浴比コンベア式低温布染色機。
【請求項２】
前記コンベヤベルト装置には、全段水平式無傾斜調整段が設けられることを特徴とする、請求項１に記載の飽和式超低浴比コンベア式低温布染色機。
【請求項３】
前記布配置装置によって左右方向に布を導引する角度と振れ幅が調整されることを特徴とする、請求項１に記載の飽和式超低浴比コンベア式低温布染色機。
【請求項４】
前記布ガイド装置は、位置を固定される、または、前後方向に位置を調整されることで、布が前記布ガイド装置に落とされる位置が調整されることを特徴とする、請求項１に記載の飽和式超低浴比コンベア式低温布染色機。
【請求項５】
前記布ガイド装置の角度は、固定または調整されることで、布がコンベヤベルト装置に落とされる角度（傾斜度）が調整されることを特徴とする、請求項１に記載の飽和式超低浴比コンベア式低温布染色機。
【考案の詳細な説明】
【技術分野】
【０００１】
本考案は、布を染色する飽和式超低浴比コンベア式低温布染色機に関し、特に、従来の水の浮力の代わりに、機械の力（コンベヤベルト装置）を利用して布を動かし循環させ、低温で布を染色するとともに、長方形または非円形の機体スペースを備える飽和式超低浴比コンベア式低温布染色機に関する。
【背景技術】
【０００２】
従来の高温コンベア式染色機の機体は圧力容器に属し、機体内部における高圧及び高温の環境に対応するため、通常、機体は円筒形に設計される必要があり、それにより、機体内部も対応して円筒形に形成される。しかしながら、円筒形の内部スペースは、周辺関連機器、部品、または、装置を配置する際に機体スペースの制限を受けやすく最適化が難しい。さらに、布を収容できる有效スペースは比較的小さく、染色できる布の量も比較的少ないとともに、関係作業員が修理・メンテナンスを行う際も比較的作業しにくい。従って、従来の円筒形布染色機の機体には欠点が存在する。
【０００３】
さらに、従来の布染色機において布を配列するのに用いられる布配置装置は、鉢状の形の制限を受けることで、振れ角度と振れ幅の調整を最適化することができないとともに、布を導引するのに用いられる布ガイド装置もまたガイド角度の調整を最適化することができない。従って、機能が制限されてしまう。
【０００４】
さらに、従来の布染色機は、機体内部のコンベヤベルト装置に機体の染色槽と水平の状態で配置され、傾斜角度を調整したい場合、機体の染色槽本体も同時に傾斜させる必要があり、染色槽内部における関連部品の相対位置は変わらないため、機体の染色槽の機能を布の種類に合わせて最適化させることができない。
【考案の概要】
【考案が解決しようとする課題】
【０００５】
本考案は、主に、染色機の機体内部における長方形のスペースを最大限活用して、染色槽本体とその内部構造の設計を最適化することで、染色機の性能を向上させることができるとともに、機体の染色槽が収容できる布の量を増やし、さらに、修理・メンテナンスの作業を作業員がより行いやすくすることのできる飽和式超低浴比コンベア式低温布染色機を提供することを目的とする。
【０００６】
本考案は、さらに、輸送する布の種類、構成、及び、布の量に応じてシングルノズルまたはタブルノズルを選択し、染色管において噴霧し布を染色するとともに布を動かすことのできる飽和式超低浴比コンベア式低温布染色機を提供することを目的とする。
【０００７】
本考案は、さらに、布配置装置の振れ角度と振れ幅を調整することができるとともに、布ガイド装置における布を導引する角度を調整することのできる飽和式超低浴比コンベア式低温布染色機を提供することを目的とする。
【０００８】
本考案は、さらに、機体内部のコンベヤベルト装置の前端または後端、或いは、両者の傾斜角度を調整することのできる飽和式超低浴比コンベア式低温布染色機を提供することを目的とする。
【課題を解決するための手段】
【０００９】
本考案が提供するコンベヤベルトによって駆動される低温布染色機は、その機体内部スペースにコンベヤベルト装置が設けられ、そのうち、機体の内部スペースにおける横方向の断面は、長方形状または長方形に類似した形状に形成され、それにより、前記機体内部の染色槽が収容できる布の量がより増える。機体の上方には、前記機体の前端と後端の両端に連結された染色管が設けられ、前記染色管の前端には第１ノズルが設けられ、前記染色管の後端または適当な位置には第２ノズルが設けられ、機体内の染色槽の後端には布配置装置が設けられ、前記布配置装置に対応する位置の下方には布ガイド装置が設けられる。前記コンベヤベルト装置は、機体の長さと幅に沿って配置されるとともに、その前端及び後端、または、両端の長手には、傾斜角度を調整することのできる傾斜角調整段が設けられる。前記機体の内部における適当な位置にはスプリンクラーが設けられ、それにより、機体内部を洗浄することができるとともに、染色された布を湿潤させることができる。さらに、前記機体底部には貯水槽が設けられ、その内部には組み込み式熱交換器とストレーナーが設けられ、前記組み込み式熱交換器の外タンクは、パイプラインによってポンプに連結され、前記ポンプは、第１連通管及び第２連通管によって第１ノズルと第２ノズルにそれぞれ連結され、それにより、前記染色槽の底部で回收された染色液は前記ノズルまで輸送される。
【考案の効果】
【００１０】
本考案は、上述の構造設計による飽和式超低浴比コンベア式低温布染色機によって、以下の長所を備えることができる。
【００１１】
１、染色工程において、高液位の染色液に布を浸して染める必要がなく、飽和水量を吸収するだけでよいため、従来の浸漬染色機に比べて水の使用量、蒸気消費量、電力消費量、さらに、一部の助剤使用量を大幅に低減することができ、それにより、廃水とＣＯ２の排出量も大幅に低減することができるため、環境保護問題を徹底的に解決することができる。
【００１２】
２、染色機における機体内部のスペースを最大限有効活用することができるため、染色機の性能と構造を最適化することができ、それにより、前記機体の染色槽が収容できる布の量が増えるとともに、機体内部の修理・メンテナンスの作業を作業員がより行いやすくすることができる。
【００１３】
３、輸送する布の特性または布の厚みに応じてシングルノズルまたはタブルノズルを選択し、染色管において染色液を噴霧し布を染色するとともに布を押動して移動させることで、より均一に染色することができる。
【００１４】
４、布配置装置は、左右の方向に振れ角度と振れ幅を調整することができるとともに、布ガイド装置は、前後の方向に位置を移動させて布ガイド装置の角度を調整することで、布を導引する角度を調整することができ、それにより、布の種類と量に応じて規則正しく積み重ねられてコンベヤベルトに入れられることで、よりスムーズに作動するとともに染色される布の量が増える。
【００１５】
５、機体内部におけるコンベヤベルト装置の前端または後端、或いは、両端は、その傾斜角度を調整できることにより、布の種類が違ったり、布の量が異なったりしてもよりスムーズに作動することができるとともに、布ガイドホイールからコンベヤベルトまでの距離を縮小できることで布の張力を低減させることができる。
【図面の簡単な説明】
【００１６】
【図１】本考案における飽和式超低浴比コンベア式低温布染色機の全体構造の内部を示した図である。
【図２】本考案における飽和式超低浴比コンベア式低温布染色機の機体構造の俯瞰図である。
【図３】本考案における飽和式超低浴比コンベア式低温布染色機の機体構造の正面図である。
【図４】本考案における飽和式超低浴比コンベア式低温布染色機の機体構造の側面図である。
【考案を実施するための形態】
【００１７】
図１から図４に示す通り、本考案が提供する飽和式超低浴比コンベア式低温布染色機における、機体１の上方には、布が通過することができるとともに水平またはやや傾斜した状態の染色管１２が設けられ、機体１の前端よりさらに高い上方には布ガイドホイール４が設けられる。染色管１２の前端には第１ノズル５が設けられ、染色管１２の後端には第２ノズル１３と布配置装置８が設けられ、前記布配置装置８は、左右方向に振れ角度と振れ幅を調整されることができ、それにより、布は、染色管１２の後端を通過して落下すると同時に、布配置装置８が揺れ動くことで下方に位置する布ガイド装置９に交互に且つ規則正しく落下し、前記布ガイド装置９は、弧形または傾斜した表面を備えるとともに、前後方向に位置及び角度を調整することができることにより、布配置装置８から落下した染色された布は、コンベヤベルト装置２上に導引される。
【００１８】
機体１の染色槽内にはコンベヤベルト装置２が設けられ、前記コンベヤベルト装置２は、機体１の長さと幅に沿って配置されるとともに、その前端の長手の位置にはスプロケット１６（またはその他の機構部品）が配置され、前記スプロケット１６（またはその他の機構部品）とコンベヤベルト装置２の前端の間には、折り曲げることのできる傾斜角調整段Ｌが構成され、前記傾斜角調整段Ｌにより傾斜角度を調整することができる。つまり、傾斜角調整段Ｌの傾斜角度が大きくなるにつれて、コンベヤベルト装置２の前端と布ガイドホイール４の間の距離は小さくなることで、布が受ける張力が小さくなるとともに、布がコンベヤベルト装置２から外れた場合にも、後端の布が前に進み前端の布の上に倒れて積み重ねられるという欠点を防止且つ改善することができる。後端のコンベヤベルト装置２も前端と同じように設計されることにより、布はよりスムーズに布配置装置８を通過してコンベヤベルト装置２に落下するとともに、布が前に倒れて積み重ねられるのが防止または減少され、布はコンベヤベルト装置２によって前端に運ばれた後、布ガイドホイール４によって引き上げられてノズルに入れられることで循環動作が行われることが好ましい。
【００１９】
機体１の内側上方及び側面の適当な位置にはスプリンクラー１０が設けられ、前記スプリンクラー１０の下端には、その長さに沿って複数のスプレー孔１１が配置される。前記スプリンクラー１０は、取水管またはポンプの出口端に直接連結されることができ、水が供給される際、またはポンプの作動中にバルブが起動された際、スプレー孔１１を通過して上方向または下方向に、或いは四方に水または染色液が噴射されることで、機体１の内部が洗浄されるとともに染色された布が湿潤される。
【００２０】
本考案では、さらに、機体１の底部に貯水槽６が設けられ、その内部には組み込み式熱交換器とストレーナー６Ａが設けられ、前記貯水槽６は、パイプラインによってポンプ７に連結されるとともに、ポンプ７は、第１連通管３によって第１ノズル５に連結され、第２連通管３Ａによって第２ノズル１３に連結され、機体１内の染色液に含まれる不純物がストレーナーによって濾過されて除去される。染色液は、組み込み式熱交換器とストレーナー６Ａに浸入し、加熱且つ冷卻されて熱交換を行い、熱交換され濾過された染色液は、ポンプ７によって第１ノズル５と第２ノズル１３に輸送されて噴出されることで、布は染色されるとともに染色管１２の中に押動されて移動する。このようにして、染色液は循環しながら回収且つ輸送される。
【００２１】
ポンプ７の入口端は、連通管によって助剤タンク１４に連結され、薬剤を注入する際、ポンプ７は作動すると同時に、ポンプ７によって助剤タンク１４内に保存された助剤が抽出されるとともに循環中の染色液が混合され、染色液が第１連通管３と第２連接管３Ａを通過して第１ノズル５と第２ノズル１３に輸送されることで、染色管１２内の染色液は流動するとともに混合されて布が染色される。本考案は、布の特性または量に応じて、第１ノズル５のみを起動させて染色液を噴出させるか、第１ノズル５と第２ノズル１３を同時に起動させて染色液を噴出させるかを選択することができることで、布への好ましい噴霧効果が得られる。
【００２２】
本考案が提供する飽和式超低浴比コンベア式低温布染色機は、染色機の機体内部のスペースを最大限活用することができるだけでなく、内部の部品設計と配置がより適切且つ便利であることで、染色機の性能と構造が最適化されるとともに、前記機体の染色槽が収容できる布の量が比較的多くなり、さらに、作業員による修理・メンテナンスの作業がより行いやすくなる。さらに、輸送される布の特性に応じてシングルノズルまたはタブルノズルを選択することができ、染色管の中で染色液が噴出されることで、布が押動されるとともに染色され、より均一に染色することができるとともに折れ跡ができるという欠点が改善される。前記布配置装置は、左右方向に振れ角度と振れ幅を調整することができるとともに、布ガイド装置は、前後方向に位置を移動させるとともに布を導引する角度を調整することができることで、布の特性に応じてスムーズ且つ規則正しくコンベヤベルト装置に入れられる。さらに、機体内部のコンベヤベルト装置の両端は、その傾斜角度を調整することができ、それにより、染色された様々な布に対応して輸送且つ循環されることで、布が倒され、後方の布が前方の布の上に積み重ねられるという欠点が防止または改善される。従って、本考案は、進歩性を備える低温布染色機である。
【符号の説明】
【００２３】
１  機体
２  コンベヤベルト装置  
３  第１連通管  
３Ａ  第２連通管  
４  布ガイドホイール  
５  第１ノズル  
６  貯水槽  
６Ａ  組み込み式熱交換器とストレーナー  
７  ポンプ  
８  布配置装置  
９  布ガイド装置  
１０  スプリンクラー  
１１  スプレー孔  
１２  染色管  
１３  第２ノズル  
１４  助剤タンク  
１６  スプロケット（またはその他の機構部品）
Ｌ  傾斜角調整段  
【図１】
0003232749.tif 000003
【図２】
0003232749.tif 000004
【図３】
0003232749.tif 000005
【図４】
0003232749.tif 000006